(57)【要約】【課題】検出信号品質の低下を伴うことなく、バースト信号の信号検出精度を上げること。【解決手段】光信号送信装置１００の光送出部１０２は、出力制御部１０１によって非データ領域の信号振幅をデータ領域の信号振幅よりも高くするように制御された光データ信号を光信号受信装置１２０に出力する。光信号受信装置１２０の振幅検出部１２２は、光入力受信部１２１が受付けた光入力の非データ領域及びデータ領域の信号振幅をそれぞれ検出する。受信判定部１２３は、振幅検出部１２２が検出した非データ領域の信号振幅に基づいて、光データ信号を受信したか否かを判定する。閾値生成部１２４は、振幅検出部１２２が検出したデータ領域の信号振幅に基づいて、閾値を生成する。データ出力部１２５は、受信判定部１２３によって光データ信号を受信したと判定された場合に、データ信号を出力する。【選択図】        図１
2011142581.tif 000002
【特許請求の範囲】
【請求項１】
データ領域以外の領域である非データ領域の信号振幅を前記データ領域の信号振幅よりも高くした光データ信号を所定の受信器に出力する光送出ステップと、
前記所定の受信器において前記光送出ステップによって出力された前記光データ信号を含めた光入力を受け付ける光入力受信ステップと、
前記光入力受信ステップによって受け付けられた光入力の前記非データ領域の信号振幅及び前記データ領域の信号振幅をそれぞれ検出する振幅検出ステップと、
前記振幅検出ステップによって検出された前記データ領域の信号振幅に基づいて、当該データ領域を符号化するための閾値を生成する閾値生成ステップと、
前記振幅検出ステップによって検出された前記非データ領域の信号振幅に基づいて、前記光データ信号を受信したか否かを判定する受信判定ステップと、
前記受信判定ステップによって前記光データ信号を受信したと判定された場合に、前記閾値生成ステップによって生成された当該光データ信号の閾値を用いて前記データ領域が符号化されたデータ信号を出力するデータ出力ステップと、
を含んだことを特徴とする光通信方法。
【請求項２】
前記閾値生成ステップは、前記振幅検出ステップによって検出されたデータ領域の信号振幅の上端値の二分の一の値を前記閾値とすることを特徴とする請求項１に記載の光通信方法。
【請求項３】
前記閾値生成ステップは、前記振幅検出ステップによって検出されたデータ領域の信号振幅の平均値を前記閾値とすることを特徴とする請求項１に記載の光通信方法。
【請求項４】
前記光送出ステップは、前記非データ領域の信号振幅と前記データ領域の信号振幅とが所定の比率である前記光データ信号を生成し、生成した光データ信号を出力し、
前記閾値生成ステップは、前記光送出ステップによって出力された前記光データ信号の前記非データ領域の信号振幅と前記データ領域の信号振幅との比率に基づいて、前記振幅検出ステップによって検出された前記非データ領域の信号振幅から前記データ領域の信号振幅を算出し、算出したデータ領域の信号振幅から前記閾値を生成することを特徴とする請求項１に記載の光通信方法。
【請求項５】
前記光送出ステップは、前記データ信号の前記非データ領域の信号振幅と当該データ信号の前記データ領域の信号振幅との比率をカレントミラー回路によって制御することを特徴とする請求項１に記載の光通信方法。
【請求項６】
光データ信号のデータ領域以外の領域である非データ領域の信号振幅を前記データ領域の信号振幅よりも高くする出力制御部と、
前記出力制御部によって前記非データ領域の信号振幅および前記データ領域の信号振幅が制御された前記光データ信号を所定の受信器に出力する光送出部と、
を有する光信号送信装置と、
前記所定の受信器において前記光送出部によって出力された前記光データ信号を含めた光入力を受け付ける光入力受信部と、
前記光入力受信部によって受け付けられた光入力の前記非データ領域の信号振幅を検出する第１振幅検出部と、
前記光入力受信部によって受け付けられた光入力の前記データ領域の信号振幅を検出する第２振幅検出部と、
前記第２振幅検出部によって検出された前記データ領域の信号振幅に基づいて、当該データ領域を符号化するための閾値を生成する閾値生成部と、
前記第１振幅検出部によって検出された前記非データ領域の信号振幅に基づいて、前記光データ信号を受信したか否かを判定する受信判定部と、
前記受信判定部によって前記光データ信号を受信したと判定された場合に、前記閾値生成部によって生成された当該光データ信号の閾値を用いて前記データ領域が符号化されたデータ信号を出力するデータ出力部と、
を有する光信号受信装置と
を備えたことを特徴とする光通信システム。
【請求項７】
データ領域以外の領域である非データ領域の信号振幅を前記データ領域の信号振幅よりも高くした光データ信号を含めた光入力を受け付ける光入力受信部と、
前記光入力受信部によって受け付けられた光入力の前記非データ領域の信号振幅を検出する第１振幅検出部と、
前記光入力受信部によって受け付けられた光入力の前記データ領域の信号振幅を検出する第２振幅検出部と、
前記第２振幅検出部によって検出された前記データ領域の信号振幅に基づいて、当該データ領域を符号化するための閾値を生成する閾値生成部と、
前記第１振幅検出部によって検出された前記非データ領域の信号振幅に基づいて、前記光データ信号を受信したか否かを判定する受信判定部と、
前記受信判定部によって前記光データ信号を受信したと判定された場合に、前記閾値生成部によって生成された当該光データ信号の閾値を用いて前記データ領域が符号化されたデータ信号を出力するデータ出力部と、
を有することを特徴とする光信号受信装置。
【請求項８】
光データ信号のデータ領域以外の領域である非データ領域の信号振幅を前記データ領域の信号振幅よりも高くする出力制御部と、
前記出力制御部によって前記非データ領域の信号振幅および前記データ領域の信号振幅が制御された前記光データ信号を所定の受信器に出力する光送出部と、
を有することを特徴とする光信号送信装置。
【発明の詳細な説明】
【技術分野】
【０００１】
この発明は、光通信方法、光通信システム、光信号受信装置及び光信号送信装置に関する。
【背景技術】
【０００２】
従来、光通信のネットワークの構成としてＦＴＴＸ（Fiber To The X）が知られている。ＦＴＴＸは、利用者の建物と通信事業者の局設備とを繋ぐ網構成の方式であり、光ファイバーの敷設状況によって種々の方式がある。図１６は、ＦＴＴＸの構成の一例を説明するための説明図である。
【０００３】
図１６に示すＦＴＴＸシステム例は、利用者の建物と通信事業者の局設備とを光ファイバーで接続しており、利用者側の終端装置としてＯＮＴ（Optical Network Terminal）１〜３を有し、通信事業者側の終端装置としてＯＬＴ（Optical Line Terminal）５を有する。また、ＦＴＴＸは、ＯＮＴ１〜３とＯＬＴ５との間で送受信される光信号を多重化したり、分離したりするスターカプラ４を有する。
【０００４】
例えば、ＯＮＴ１〜３は、利用者の建物ごとに設置され、スターカプラ４を介してＯＬＴ５とのデータの送受信を行う。そして、ＯＬＴ５は、ＯＮＴ１〜３に対する送信データを１．４９μｍ帯の連続信号で送信する。また、ＯＬＴ５は、ＯＮＴ１〜３それぞれから送信され、時分割多重された１．３１μｍ帯のバースト信号を受信データとして受信する。
【０００５】
図１７は、バースト信号受信器を説明するための説明図である。バースト信号受信器１０は、図１６に示すＯＬＴ５内に設置され、図１７に示すように、受信した信号からクロック抽出を行うリタイミングブロック２０と接続されている。また、バースト信号受信器１０は、図１７に示すように、受光素子１１と、前置増幅器１２と、振幅検出回路１３と、閾値生成回路１４と、比較器１５と、増幅器１６と、出力バッファ１７とを有する。
【０００６】
受光素子１１は、光信号を受け付けて電流信号に変換する。そして、前置増幅器１２は、受光素子１１によって変換された電流信号を所定のレベルの電圧信号に変換する。振幅検出回路１３は、前置増幅器１２によって変換された電圧信号から振幅を検出し、閾値生成回路１４は、振幅検出回路１３によって検出された振幅に基づいて入力された光信号の符号を識別するための閾値である符号識別閾値を生成する。
【０００７】
比較器１５は、振幅検出回路１３によって検出された光信号の振幅の上端レベルと、予め設定された所定の閾値とを比較して、比較結果を出力バッファに出力する。増幅器１６は、前置増幅器１２によって変換された電圧信号を、閾値生成回路１４によって生成された符号識別閾値を用いて符号化する。出力バッファ１７は、比較器１５による比較結果から光信号がバースト信号であるか否かを判定し、バースト信号であった場合にのみ、増幅器１６から入力された信号をリタイミングブロック２０に出力する。
【０００８】
具体的には、出力バッファ１７は、バースト信号受信器１０からノイズなどが信号として出力されることを防止するために、バースト信号の振幅の上端レベルが所定の閾値以上である場合にのみ、増幅器１６から入力された信号を出力する。
【先行技術文献】
【特許文献】
【０００９】
【特許文献１】実公平８−４７５５号公報
【特許文献２】特開２００４−２６０２３０号公報
【発明の概要】
【発明が解決しようとする課題】
【００１０】
しかしながら、上述した従来技術では、既存の回線を使用して光信号の伝送レートを高速化させた際にバースト信号受信器に生じるバースト信号の検出精度の悪化を、検出信号品質の低下を伴うことなく、改善することができないという問題があった。以下では、既存の回線を用いて光信号の「伝送レート」を「１．２Ｇｂｐｓ（Gigabit  per  second）」から「１０Ｇｂｐｓ」に移行させた場合に生じるバースト信号の検出精度の悪化について説明した後、従来技術の問題について説明する。
【００１１】
まず、光信号の伝送レートを高速化させた場合には、バースト信号の信号振幅が減少する。図１８は、伝送レートごとのＴＩＡ（Trans  Impedance  Amplifier）トランスインピーダンス比率を説明するための説明図である。図１８は、伝送レートに対して、最小受信レベル要求（ＩＥＥＥ）と、最小受信レベル要求（ＩＴＵ−Ｔ）と、ＢＥＲ要求と、ＴＩＡトランスインピーダンス比率とを対応付けた表である。
【００１２】
「伝送レート」は、１秒間に送信されるビット数を示し、「最小受信レベル要求（ＩＥＥＥ）」は、ＩＥＥＥ（The  Institute  of  Electrical  and  Electronics  Engineers）規格の通信路での光信号の減衰許容量を示す。また、「最小受信レベル要求（ＩＴＵ−Ｔ）」は、ＩＴＵ−Ｔ（International Telecommunication Union Telecommunication Standardization Sector）規格の通信路での光信号の減衰許容量を示す。また、「ＢＥＲ（Bit  Error  rate）要求」は、受信データに含まれるビットエラーの許容範囲を示し、「ＴＩＡトランスインピーダンス比率」は、前置増幅器１２が有するＴＩＡでの電圧への変換比率を示している。
【００１３】
図１８に示すように、「伝送レート：１．２Ｇ」では、「最小受信レベル要求（ＩＥＥＥ）：―２９．５ｄＢｍ、最小受信レベル要求（ＩＴＵ−Ｔ）：―２８．０ｄＢｍ、ＢＥＲ要求：＜１０-12、ＴＩＡトランスインピーダンス比率：１」である。また、「伝送レート：２．５Ｇ」では、「最小受信レベル要求（ＩＥＥＥ）：―、最小受信レベル要求（ＩＴＵ−Ｔ）：―２８．０ｄＢｍ、ＢＥＲ要求：＜１０-12、ＴＩＡトランスインピーダンス比率：１／２」である。これにより、受信レベル＜―２８．０ｄＢｍで光バースト信号を識別することが要求される。
【００１４】
一方、「伝送レート」を「１０Ｇ」に移行させた場合には、「最小受信レベル要求（ＩＥＥＥ）：―２８．０ｄＢｍ、最小受信レベル要求（ＩＴＵ−Ｔ）：―２８．０ｄＢｍ、ＢＥＲ要求：＜１０-3、ＴＩＡトランスインピーダンス比率：１／８」である。すなわち、現在の通信路での光信号の減衰許容量のまま、「伝送レート」を「１０Ｇ」に移行させた場合には、「ＴＩＡトランスインピーダンス比率」が低下するにも関わらず、受信レベル＜―２８．０ｄＢｍで光バースト信号を識別することが要求される。
【００１５】
図１９は、ＢＥＲ特性を説明するための説明図である。図１９の縦軸は、ＢＥＲを示し、横軸は、最小受信レベル要求（ｄＢｍ）を示している。図１９の点線で示すように、「１．２Ｇ／２．５Ｇ  ＢＥＲ」のＢＥＲ特性は、「最小受信レベル要求：―２８、ＢＥＲ：１Ｅ―１２」と「最小受信レベル要求：―３４、ＢＥＲ：１Ｅ―３」とを結ぶ直線で示される。
【００１６】
一方、図１９の実線で示すように、「１０Ｇ  ＢＥＲ」のＢＥＲ特性は、「最小受信レベル要求：―２２、ＢＥＲ：１Ｅ―１２」と「最小受信レベル要求：―２８、ＢＥＲ：１Ｅ―３」とを結ぶ直線で示される。すなわち、伝送レートを「１０Ｇ」に移行する場合には、バースト信号受信器は、「ＢＥＲ要求：１Ｅ―１２」の「最小受信レベル要求：―２２」よりも「６ｄＢｍ」低いレベルの光信号を検出することとなる。
【００１７】
そして、ＴＩＡは、伝送レートの移行に伴い、周波数特性が最適に設定される。ここで、ＴＩＡの周波数特性として、ゲイン低下を引き起こす限界の周波数である「カットオフ周波数：ｆｃ」について説明する。図２０は、ＴＩＡのカットオフ周波数を説明するための説明図である。ＴＩＡのカットオフ周波数は、図２０に示す「帰還抵抗：Ｒｆ」、「オープン利得：Ｇ」、「受光素子の寄生容量：Ｃｐｄ」及び「ＴＩＡ入力の寄生容量：Ｃｉ」を用いた以下に示す式（１）及び式（２）によって求められる。なお、「Ｒｉ」は、入力インピーダンスを示す。
【００１８】
【数１】
2011142581.tif 000003
【００１９】
【数２】
2011142581.tif 000004
【００２０】
式（２）に示すように、カットオフ周波数は、「Ｒｉ：入力インピーダンス」を含んでおり、伝送レートを「１．２Ｇ」から「１０Ｇ」に移行する場合には、ＴＩＡは、約８倍の帯域を要するため「Ｒｉ」を約１／８にすることとなる。すなわち、ＴＩＡから出力される電圧信号の出力振幅は約１／８となり、バースト信号の検出精度が悪化する。
【００２１】
また、光信号の伝送レートを高速化させた場合には、受光素子の裾引き電流や過渡応答特性によりＴＩＡからの出力レベルが低下する。具体的には、時分割多重化されて連続するバースト信号間の信号レベルに２０ｄＢ程度のレベル差がある場合に、受光素子の裾引き電流や過渡応答特性によりＴＩＡからの出力レベルが低下する。図２１は、バースト信号の振幅の劣化を説明するための説明図である。図２１に示す「バースト信号」は、受光素子に入力されたバースト信号を示し、「ＡＰＤ増倍率変動」は、受光素子であるＡＰＤ（avalanche  photodiode）によるバースト信号の増倍率の変動を示し、「ＴＩＡ出力」は、ＴＩＡから出力される電圧信号の出力を示す。
【００２２】
図２１に示すように、ＡＰＤに入力されたバースト信号は、連続するバースト信号（ｎ及びｎ＋１）が、それぞれ「―８ｄＢｍ」、「―２８ｄＢｍ」減衰されており、バースト信号間のＧＴ（ガードタイム）が数十ｎｓである。上述した場合には、ＡＰＤでの増倍率は、図２１に示すように、ｎ番目のバースト信号からｎ＋１番目のバースト信号に遷移する際に、増倍率復帰に遅延が生じ、増倍率復帰遅延時間が数μｓ必要となる。したがって、ｎ＋１番目のバースト信号の所要増倍率に達するまでの遅延によって、ＡＰＤでの増倍率が変動してしまい、ＴＩＡ出力される電圧信号に所要増倍率の不足による振幅の劣化が生じることとなり、バースト信号の検出精度が悪化する。なお、リミッタレベルは、ＴＩＡの最大出力である。
【００２３】
さらに、光信号の伝送レートを高速化させた場合には、バースト信号の検出誤差が高くなる。具体的には、光信号の伝送レートを高速化させた場合に生じるＢＥＲの変化により、信号とノイズの比率であるＳ／Ｎ比が低下し、バースト信号の検出誤差が高くなる。図２２は、伝送レートごとのバースト信号検出誤差を説明するための図である。図２２は、伝送レートに対して、最小受信レベル要求（ＩＴＵ−Ｔ）と、ＢＥＲ要求と、Ｓ／Ｎ比と、バースト信号検出誤差とを対応付けた表である。
【００２４】
図２２に示すように、「伝送レート：１．２Ｇ」は、「最小受信レベル要求（ＩＴＵ−Ｔ）：―２８．０ｄＢｍ、ＢＥＲ要求：＜１０-12」の場合に、「Ｓ／Ｎ比：１４．２、バースト信号検出誤差：７．０％」である。一方、「伝送レート：１０Ｇ」は、「最小受信レベル要求（ＩＴＵ−Ｔ）：―２８．０ｄＢｍ、ＢＥＲ要求：＜１０-3」の場合に、「Ｓ／Ｎ比：４．８」となり、「バースト信号検出誤差：２０．８％」になる。したがって、光信号の伝送レートを高速化させた場合には、バースト信号の検出誤差が高くなることで検出精度が悪化する。
【００２５】
上述したように、光信号の伝送レートを高速化させた場合には、種々の要因によってバースト信号の検出精度が悪化する。そこで、バースト信号検出器の前段に増幅器を挿入し、バースト信号の振幅を増幅させることにより、上述した問題を解決する場合について説明する。図２３は、従来技術のバースト信号検出を説明するための説明図である。
【００２６】
図２３に示す「バースト信号」は、バースト信号受信器に入力された信号を示している。また、「振幅検出レベルと符号識別閾値」は、入力された信号を検出するための振幅検出レベルと、バースト信号の符号識別や雑音を除去するための符号識別閾値とを示している。また、「振幅検出レベルと符号識別閾値（プリバイアス領域増幅後）」は、バースト信号のプリバイアス領域を増幅器によって増幅した後の、振幅検出レベルと符号識別閾値を示している。
【００２７】
図２３に示すように、バースト信号は、データを信号化したデータ領域とデータ領域に先立つプリバイアス領域とを有する。そして、バースト信号受信器は、信号が入力された場合に、信号振幅の上端レベルを振幅検出レベルとして検出し、入力された信号がバースト信号であるか否かを識別する。また、バースト信号受信器は、検出した振幅検出レベルの二分の一を符号識別閾値として生成する。
【００２８】
ここで、上述した問題を解決するために、バースト信号の振幅を増幅器によって増幅させたとする。上述した場合には、バースト信号を検出するための振幅検出レベルは高くなるが、同時にノイズも増幅されてしまい、検出信号品質が低下してしまう。
【００２９】
そこで、本開示の技術は、上述した従来技術の問題を鑑みて、検出信号品質の低下を伴うことなく、バースト信号の信号検出精度を上げることが可能となる光通信方法、光通信システム、光信号受信装置及び光信号送信装置を提供することを目的とする。
【課題を解決するための手段】
【００３０】
上述した課題を解決し、目的を達成するため、この方法は、システム上で対向する光送出ステップが、データ領域以外の領域である非データ領域の信号振幅をデータ領域の信号振幅よりも高くした光データ信号を所定の受信器に出力する。そして、所定の受信器において、光入力受信ステップが、システム上で対向する光送出ステップによって出力された光データ信号を含めた光入力を受け付ける。そして、振幅検出ステップが、光入力受信ステップによって受け付けられた光入力の非データ領域の信号振幅及びデータ領域の信号振幅をそれぞれ検出する。そして、閾値生成ステップが、振幅検出ステップによって検出されたデータ領域の信号振幅に基づいて、データ領域を符号化するための閾値を生成する。そして、受信判定ステップが、振幅検出ステップによって検出された非データ領域の信号振幅に基づいて、光データ信号を受信したか否かを判定する。そして、データ出力ステップが、受信判定ステップによって光データ信号を受信したと判定された場合に、閾値生成ステップによって生成された光データ信号の閾値を用いてデータ領域が符号化されたデータ信号を出力する。
【発明の効果】
【００３１】
開示の方法は、検出信号品質の低下を伴うことなく、バースト信号の信号検出精度を上げることが可能となる。
【図面の簡単な説明】
【００３２】
【図１】図１は、実施例１にかかる光通信システムの構成を説明するための説明図である。
【図２】図２は、実施例２にかかる光通信システムの構成を説明するための説明図である。
【図３】図３は、実施例２にかかるバースト信号送信器を説明するための説明図である。
【図４】図４は、実施例２にかかるバースト信号受信器を説明するための説明図である。
【図５】図５は、実施例２にかかるバースト信号送信器による処理の手順を説明するための図である。
【図６】図６は、実施例２にかかるバースト信号受信器による処理の手順を説明するための図である。
【図７】図７は、バースト信号検出誤差を説明するための説明図である。
【図８】図８は、実施例３にかかるバースト信号受信器の構成を説明するための説明図である。
【図９】図９は、平均値検出回路を説明するための説明図である。
【図１０】図１０は、実施例３にかかるバースト信号受信器の処理の手順を説明するための図である。
【図１１】図１１は、実施例４にかかるバースト信号受信器の構成を説明するための説明図である。
【図１２】図１２は、実施例４にかかる閾値生成回路を説明するための説明図である。
【図１３】図１３は、実施例４にかかるバースト信号受信器の処理の手順を説明するための図である。
【図１４】図１４は、実施例５にかかるバースト信号送信器の構成を説明するための説明図である。
【図１５】図１５は、実施例５にかかるバースト信号送信器の処理の手順を説明するための図である。
【図１６】図１６は、ＦＴＴＸの構成の一例を説明するための説明図である。
【図１７】図１７は、バースト信号受信器を説明するための説明図である。
【図１８】図１８は、伝送レートごとのＴＩＡトランスインピーダンス比率を説明するための説明図である。
【図１９】図１９は、ＢＥＲ特性を説明するための説明図である。
【図２０】図２０は、ＴＩＡのカットオフ周波数を説明するための説明図である。
【図２１】図２１は、バースト信号の振幅の劣化を説明するための説明図である。
【図２２】図２２は、伝送レートごとのバースト信号検出誤差を説明するための説明図である。
【図２３】図２３は、従来技術のバースト信号検出を説明するための説明図である。
【発明を実施するための形態】
【００３３】
以下に添付図面を参照して、本願の開示する光通信方法、光通信システム、光信号受信装置及び光信号送信装置の実施例を詳細に説明する。なお、本実施例では、本願の開示する光通信方法を実行する光通信システムを用いて説明する。
【実施例１】
【００３４】
まず、本実施例にかかる光通信システムの構成を説明する。図１は、実施例１にかかる光通信システムの構成を説明するための説明図である。図１に示すように、光通信システムは、光信号送信装置１００と光信号受信装置１２０とを有し、スターカプラ１１０を介して光信号送信装置１００と光信号受信装置１２０とが接続されている。なお、図１では、光信号送信装置１００が１つのみ示されているが、実際には、複数の光信号送信装置１００がスターカプラ１１０を介して光信号受信装置１２０と接続されている。
【００３５】
スターカプラ１１０は、光信号送信装置１００と光信号受信装置１２０との間で送受信される光信号を多重化したり、分岐したりする中継装置である。光信号送信装置１００は、図１に示すように、光送出部１０２と、出力制御部１０１とを有し、スターカプラ１１０を介して光信号受信装置１２０に対してデータ信号を送信する。
【００３６】
出力制御部１０１は、データ領域以外の領域である非データ領域の信号振幅をデータ領域の信号振幅よりも高くするように制御する。光送出部１０２は、出力制御部１０１によって前記非データ領域の信号振幅およびデータ領域の信号振幅が制御された光データ信号を光信号受信装置１２０に出力する。
【００３７】
光信号受信装置１２０は、図１に示すように、光入力受信部１２１と、振幅検出部１２２と、受信判定部１２３と、閾値生成部１２４と、データ出力部１２５とを有し、光信号送信装置１００によって送信されたデータ信号を受信する。光入力受信部１２１は、光送出部１０２によって出力された光データ信号を含めた光入力を受け付ける。
【００３８】
振幅検出部１２２は、光入力受信部１２１によって受け付けられた光入力の非データ領域の信号振幅及びデータ領域の信号振幅をそれぞれ検出する。受信判定部１２３は、振幅検出部１２２によって検出された非データ領域の信号振幅に基づいて、光データ信号を受信したか否かを判定する。
【００３９】
閾値生成部１２４は、振幅検出部１２２によって検出されたデータ領域の信号振幅に基づいて、データ領域を符号化するための閾値を生成する。データ出力部１２５は、受信判定部１２３によって光データ信号を受信したと判定された場合に、閾値生成部１２４によって生成された光データ信号の閾値を用いてデータ領域が符号化されたデータ信号を出力する。
【００４０】
上述したように、実施例１によれば、プリバイアス領域の信号振幅のみを増幅させたバースト信号から、信号の検出および符号識別閾値の生成を行うことができ、検出信号品質の低下を伴うことなく、バースト信号の信号検出精度を上げることが可能となる。
【実施例２】
【００４１】
［実施例２にかかる光通信システムの構成］
続いて、実施例２にかかる光通信システムの構成について図２〜４を用いて説明する。図２は、実施例２にかかる光通信システムの構成を説明するための説明図である。図２に示すように、光通信システムは、バースト信号送信器１３０とバースト信号受信器１４０とを有し、スターカプラ１５０を介して接続されている。なお、図２では、バースト信号送信器１３０が１つのみ示されているが、実際には、複数のバースト信号送信器１３０がスターカプラ１５０を介してバースト信号受信器１３０と接続されている。例えば、図２に示すバースト信号送信器１３０及びバースト信号受信器１４０ぞれぞれは、ＯＮＴ及びＯＬＴに内蔵される（図１６参照）。
【００４２】
スターカプラ１５０は、バースト信号送信器１３０とバースト信号受信器１４０との間で送受信されるバースト信号を多重化したり、分岐したりする中継装置である。バースト信号送信器１３０は、図２に示すように、パルス電流駆動部１３１と、パルス電流制御部１３２と、カレントミラー回路部１３３と、プリバイアス電流駆動部１３４と、バイアス電流駆動部１３５とＡＰＣ部１３６とを有する。また、バースト信号送信器１３０は、図２に示すように、レーザーダイオード素子１３７と、受光素子１３８とを有し、スターカプラ１５０を介してバースト信号受信器にバースト信号を送信する。
【００４３】
パルス電流駆動部１３１は、図２に示す「Ｄａｔａ  ｉｎ」および「ＸＤａｔａ  ｉｎ」から入力されたデータ信号を電流に変換して、後述するレーザーダイオード素子１３７を駆動させる。具体的には、パルス電流駆動部１３１は、バースト信号のデータ領域の振幅を変調電流により変換し、変換した変調電流をレーザーダイオード素子１３７に対して出力する。パルス電流制御部１３２は、後述するレーザーダイオード素子を駆動させるためのパルス電流の量を制御する。
【００４４】
バイアス電流駆動部１３５は、図２に示すバイアス電流制御信号と後述するＡＰＣ部１３６からの信号に基づいて、後述するレーザーダイオード素子１３７からバースト信号が適切なレベルで出力されるようにバイアス電流でレーザーダイオード素子１３７を駆動させる。ＡＰＣ（Automatic  Power  Control）部１３６は、後述する受光素子１３８から受信した電流信号と、光出力パワーを安定化させるための基準信号との差分をバイアス電流駆動部１３５に出力する。受光素子１３８は、後述するレーザーダイオード素子１３７から出力された光信号を受光して、受光した光信号を電流に変換してＡＰＣ部１３６に出力する。
【００４５】
カレントミラー回路部１３３は、バースト信号の第１領域の出力がバースト信号の第２領域の出力よりも高く出力されるようにバースト信号の第１領域の出力と第２領域の出力との比率を制御する。具体的には、カレントミラー回路部１３３は、パルス電流駆動部１３１から出力される電流と、後述するプリバイアス電流駆動部１３４から出力される電流とが所定の比率になるように、パルス電流制御部１３２によって制御されたパルス電流量を制御する。
【００４６】
プリバイアス電流駆動部１３４は、図２に示すプリバイアス電流制御信号及びカレントミラー回路部１３３から入力される電流量に基づいて、バースト信号のプリバイアス領域の信号を出力させるための電流を後述するレーザーダイオード素子１３７に出力する。
【００４７】
レーザーダイオード素子１３７は、カレントミラー回路部１３３によって制御されたように第１領域の出力および第２領域の出力を変化させたバースト信号をバースト信号受信器１４０に出力する。具体的には、レーザーダイオード素子１３７は、パルス電流駆動部１３１から入力されたパルス電流に対応する光信号をバースト信号のデータ領域の信号として出力する。また、レーザーダイオード素子１３７は、プリバイアス電流駆動部１３４から入力された電流に対応する光信号をバースト信号のプリバイアス領域の信号として出力する。また、レーザーダイオード素子１３７は、バイアス電流駆動部１３５から入力された電流に対応する光信号をバースト信号のバイアス領域の信号として出力する。
【００４８】
ここで、上述したバースト信号送信器が、プリバイアス領域の出力レベルをデータ領域の出力レベルのＫ倍にしたバースト信号を送信する場合について、図３を用いて説明する。図３は、実施例２にかかるバースト信号送信器を説明するための説明図である。図３に示す「送信データ」は、パルス電流駆動部１３１に入力されたデータを示し、「バイアス電流制御信号」は、バイアス電流駆動部１３５に入力された信号を示し、「プリバイアス電流制御信号」は、プリバイアス電流駆動部１３４に入力された信号を示す。また、「パルス電流」は、パルス電流駆動部１３１から出力された変調信号（Ｉｍｏｄ）を示し、「バイアス電流」は、バイアス電流駆動部１３５から出力された電流を示し、「プリバイアス電流」は、プリバイアス電流駆動部１３４から出力された電流を示す。また、「光出力」は、レーザーダイオード素子１３７から出力されたバースト信号を示す。
【００４９】
図３に示すように、送信データ、バイアス電流制御信号及びプリバイアス電流制御信号が入力された場合には、パルス電流駆動部１３１は、バースト信号のデータ領域に対応するパルス電流（Ｉｍｏｄ）を出力する。そして、バイアス電流駆動部１３５は、バースト信号が所定の出力レベルで出力されるようにバイアス電流を出力する。そして、プリバイアス電流駆動部１３４は、バースト信号のプリバイアス領域に対応するプリバイアス電流を、カレントミラー回路部１３３によって制御された電流量（Ｋ×Ｉｍｏｄ）で出力する。そして、レーザーダイオード素子１３７は、データ領域の光信号レベルが「Ｐ１」であり、プリバイアス領域の光信号レベルが「Ｋ×Ｐ１」のバースト信号をバースト信号受信器１４０に送信する。
【００５０】
図２に戻って、バースト信号受信器１４０は、スターカプラ１５０を介してバースト信号送信器１３０と接続され、バースト信号のデータ領域からクロック信号を抽出するリタイミングブロック２００と接続されている。そして、バースト信号受信器１４０は、図２に示すように、受光素子１４１と、前置増幅器１４２と、増幅器１４３と、出力バッファ１４４とを有する。また、バースト信号受信器１４０は、バースト信号のデータ領域の符号識別や雑音を除去するための符号識別閾値を生成する符号識別回路ブロックとして、第２振幅検出回路１４５と閾値生成回路１４６とを有する。また、バースト信号の信号レベルを検出する信号レベル検出ブロックとして、第１振幅検出回路１４７と、比較器１４８とを有する。
【００５１】
受光素子１４１は、レーザーダイオード素子１３７によって非データ領域及びデータ領域の出力が変化させられた光データ信号を含めた光入力を受け付ける。具体的には、受光素子１４１は、レーザーダイオード素子１３７によってプリバイアス領域の信号レベルがデータ領域の信号レベルよりも高く出力されたバースト信号を含めた光入力を受け付ける。そして、受光素子１４１は、受け付けた光入力を電流に変換する。
【００５２】
前置増幅器１４２は、受光素子１４１によって変換された電流を電圧に変換する。増幅器１４３は、符号識別回路ブロックで生成された閾値に基づいて、前置増幅器１４２によって変換された電圧を符号化する。
【００５３】
第１振幅検出回路１４７は、受光素子１４１によって受け付けられた光入力の非データ領域の信号振幅を検出する。具体的には、第１振幅検出回路１４７は、受光素子１４１によって受光された光入力のプリバイアス領域の信号レベルを検出する。
【００５４】
比較器１４８は、第１振幅検出回路１４７によって検出された光入力のプリバイアス領域の信号レベルと、予め設定された所定の閾値とを比較する。そして、比較器１４８は、光入力のプリバイアス領域の信号レベルが所定の閾値よりも高い場合に、後述する出力バッファ１４４に信号を出力する。
【００５５】
第２振幅検出回路１４５は、受光素子１４１によって受け付けられた光入力のデータ領域の信号振幅を検出する。具体的には、第２振幅検出回路１４５は、受光素子１４１によって受光された光入力のデータ領域の信号レベルを検出する。
【００５６】
閾値生成回路１４６は、第２振幅検出回路１４５によって検出されたデータ領域の信号振幅に基づいて、データ領域を符号化するための符号識別閾値を生成する。具体的には、閾値生成回路１４６は、第２振幅検出回路１４５によって検出されたデータ領域の信号振幅の上端値の二分の一の値を符号識別閾値として生成する。
【００５７】
出力バッファ１４４は、第１振幅検出回路１４７によって検出された非データ領域の信号振幅に基づいて、バースト信号を受信したか否かを判定する。具体的には、出力バッファ１４４は、比較器１４８から信号を受信した場合に、バースト信号を受信したと判定する。そして、出力バッファ１４４は、バースト信号を受信したと判定した場合に、閾値生成回路１４６によって生成された符号識別閾値を用いて符号化したバースト信号を出力する。具体的には、出力バッファ１４４は、比較器１４８から信号を受信した場合に、増幅器１４３によって符号化されたバースト信号をリタイミングブロック２００に出力する。
【００５８】
ここで、上述したバースト信号受信器が、プリバイアス領域の出力レベルがデータ領域の出力レベルのＫ倍になっているバースト信号を受信した場合について、図４を用いて説明する。図４は、実施例２かかるバースト信号受信器を説明するための説明図である。図４に示す「バースト信号」は、スターカプラ１５０を介してバースト信号送信器１３０から受信した信号を示し、「振幅検出レベル２及び符号識別閾値」は、第２振幅検出回路１４５による振幅検出レベルと閾値生成回路１４６による閾値生成を示す。
【００５９】
また、図４に示す「振幅検出レベル１」は、第１振幅検出回路１４７による振幅検出レベルを示し、「振幅検出レベル１及び振幅検出閾値」は、第１振幅検出回路１４７による振幅検出レベルと振幅検出閾値との比較を示す。また、「出力バッファ制御信号」は、第１振幅検出回路１４７による振幅検出レベルが振幅検出閾値よりも高い場合に、比較器１４８から出力される信号を示す。
【００６０】
図４のバースト信号に示すように、プリバイアス領域の出力レベルがデータ領域の出力レベルのＫ倍になっているバースト信号を受信した場合には、第２振幅検出回路１４５は、データ領域の出力レベルを振幅検出レベル２として検出する。そして、閾値生成回路１４６は、第２振幅検出回路１４５によって検出された振幅検出レベル２の二分の一を符号識別閾値として生成する。
【００６１】
また、第１振幅検出回路１４７は、プリバイアス領域の出力レベルを振幅検出レベル１として検出する。そして、比較器１４８は、第１振幅検出回路１４７によって検出された
振幅検出レベル１と、バースト信号とノイズとを識別するための閾値である振幅検出閾値とを比較する。そして、第１振幅検出回路１４７によって検出された振幅検出レベル１が振幅検出閾値よりも高い場合に、出力バッファ制御信号を出力する。
【００６２】
［実施例２にかかる光通信システムによる処理の手順］
次に、図５及び図６を用いて、実施例２にかかる光通信システムによる処理の手順を説明する。
【００６３】
［実施例２にかかるバースト信号送信器による処理の手順］
図５は、実施例２にかかるバースト信号送信器による処理の手順を説明するための図である。図５に示すように、まず、バースト信号送信器１３０では、データ信号が入力されると（ステップＳ１０１肯定）、カレントミラー回路部１３３は、プリバイアス電流量を制御する（ステップＳ１０２）。カレントミラー回路部１３３は、パルス電流制御部１３２によって制御されるパルス電流駆動部１３１から出力される電流と、プリバイアス電流駆動部１３４から出力される電流とが所定の比率になるようにプリバイアス電流量を制御する（ステップＳ１０２）。
【００６４】
そして、パルス電流駆動部１３１は、カレントミラー回路部１３３を介して、パルス電流制御部１３２によって制御されたパルス電流量で、データ領域を電流に変換する（ステップＳ１０３）。その後、プリバイアス電流駆動部１３４は、パルス電流制御部１３２によって制御されたパルス電流量に対し、所定のプリバイアス駆動電流でバースト信号のプリバイアス領域を電流に変換する（ステップＳ１０４）。そして、レーザーダイオード素子１３７は、パルス電流駆動部１３１及びプリバイアス電流駆動部１３４から入力された電流に基づいて、バースト信号を送信して（ステップＳ１０５）、処理を終了する。
【００６５】
［実施例２にかかるバースト信号受信器による処理の手順］
図６は、実施例２にかかるバースト信号受信器による処理の手順を説明するための図である。図６に示すように、まず、バースト信号受信器１４０では、光入力を受け付けると、受光素子１４１は、受信した光信号を電流に変換する（ステップＳ２０１）。そして、前置増幅器１４２は、受光素子１４１から入力された電流を電圧に変換する（ステップＳ２０２）。
【００６６】
その後、第１振幅検出回路１４７及び第２振幅検出回路１４５は、バースト信号のプリバイアス領域及びデータ領域のレベルをそれぞれ検出する（ステップＳ２０３）。そして、閾値生成回路１４６は、第２振幅検出回路１４５によって検出されたデータ領域のレベルの二分の一を符号識別閾値として生成する（ステップＳ２０４）。そして、増幅器１４３は、閾値生成回路１４６によって生成された符号識別閾値を用いて、データ領域を符号化する（ステップＳ２０５）。
【００６７】
そして、出力バッファ１４４は、第１振幅検出回路１４７によって検出されたプリバイアス領域のレベルが閾値以上であるか否かを判定する（ステップＳ２０６）。具体的には、出力バッファ１４４は、比較器１４８から入力される信号に基づいて、プリバイアス領域のレベルが閾値以上であるか否かを判定する。
【００６８】
ここで、プリバイアス領域のレベルが閾値以上である場合には（ステップＳ２０６肯定）、出力バッファ１４４は、入力されたバースト信号をデータ信号として判定して、リタイミングブロック２００に出力して（ステップＳ２０７）、処理を終了する。一方、プリバイアス領域のレベルが閾値よりも低い場合には（ステップＳ２０６否定）、出力バッファ１４４は、入力されたバースト信号をノイズとして判定して、処理を終了する。
【００６９】
［実施例２の効果］
上述したように、実施例２によれば、カレントミラー回路部１３３が、バースト信号のプリバイアス領域の出力がデータ領域の出力よりも高く出力されるように制御する。そして、レーザーダイオード素子１３７が、カレントミラー回路部１３３によって制御されたようにプリバイアス領域の出力とデータ領域の出力とを変化させてバースト信号をバースト信号受信器１４０に出力する。そして、受光素子１４１が、レーザーダイオード素子１３７によって出力されたバースト信号を受信する。そして、第１振幅検出回路１４７が、プリバイアス領域の信号振幅を検出し、第２振幅検出回路１４５がデータ領域の信号振幅を検出する。
【００７０】
そして、閾値生成回路１４６が、第２振幅検出回路１４５によって検出されたデータ領域の信号振幅に基づいて、データ領域の符号識別や雑音を除去するための閾値を生成する。そして、出力バッファ１４４が、プリバイアス領域の信号振幅に基づいて、バースト信号を受信したか否かを判定する。また、出力バッファ１４４が、バースト信号を受信したと判定した場合に、閾値生成回路１４６によって生成された閾値を用いて符号識別や雑音が除去されたデータ信号をリタイミングブロック２００に出力する。従って、プリバイアス領域の信号振幅のみを増幅させたバースト信号の信号検出および符号識別閾値の生成を行うことができ、検出信号品質の低下を伴うことなく、バースト信号の信号検出精度を上げることが可能となる。
【００７１】
また、実施例２によれば、閾値生成回路１４６は、閾値として、第２振幅検出回路１４５によって検出された第２領域の信号振幅の上端値の二分の一の値を生成する。従って、従来技術を適用でき、容易に実現することが可能となる。
【００７２】
また、実施例２によれば、カレントミラー回路部１３３は、バースト信号の第１領域の出力と第２領域の出力との比率を制御する。従って、プリバイアス領域とデータ領域との出力を容易に変化させることが可能となる。
【００７３】
ここで、プリバイアス領域の出力レベルをデータ領域の出力レベルの２倍にした場合のバースト信号検出誤差の改善量について説明する。図７は、バースト信号検出誤差を説明するための説明図である。図７は、伝送レートに対して、最小受信レベル要求（ＩＴＵ−Ｔ）と、ＢＥＲ要求と、Ｓ／Ｎ比と、バースト信号検出誤差とを対応付けた表である。
【００７４】
図７に示すように、「伝送レート：１．２Ｇ」は、「最小受信レベル要求（ＩＴＵ−Ｔ）：―２８．０ｄＢｍ、ＢＥＲ要求：＜１０-12」の場合に、「Ｓ／Ｎ比：１４．２、バースト信号検出誤差（Ｋ＝２）：３．５％」である。一方、「伝送レート：１０Ｇ」は、「最小受信レベル要求（ＩＴＵ−Ｔ）：―２８．０ｄＢｍ、ＢＥＲ要求：＜１０-3」の場合に、「Ｓ／Ｎ比：４．８」となり、「バースト信号検出誤差（Ｋ＝２）：１０．４％」になる。上述した「伝送レート：１０Ｇ」の「バースト信号検出誤差（Ｋ＝２）：１０．４％」は、図２２に示す「伝送レート：１０Ｇ」の「バースト信号検出誤差：２０．８％」と比較した場合には、「１０．４％」の改善が見られる。したがって、本実施例の光通信システムは、信号品質の低下を伴うことなく、バースト信号の検出精度を上げることが可能となる。
【実施例３】
【００７５】
上述した実施例２では、データ領域の信号振幅の二分の一を符号識別閾値として生成する場合について説明したが、実施例３では、データ領域の信号振幅の平均値を符号識別閾値として生成する場合について説明する。
【００７６】
［実施例３にかかるバースト信号受信器の構成］
まず、図８を用いて、実施例３にかかるバースト信号受信器の構成について説明する。図８は、実施例３にかかるバースト信号受信器の構成を説明するための説明図である。図８に示すように、実施例３にかかるバースト信号受信器は、図２に示す実施例２のバースト信号受信器と比較して、符号識別回路ブロックのみが異なる。すなわち、実施例３にかかるバースト信号受信器は、符号識別回路ブロックとして平均値検出回路を有する点のみが異なる。以下、これを中心に説明する。
【００７７】
平均値検出回路１４９は、第２領域の信号振幅の平均値を閾値として生成する。具体的には、平均値検出回路１４９は、前置増幅器１４２によって変換された電圧の出力振幅を連続的に検出して、検出した出力振幅の平均値を符号識別閾値として生成する。
【００７８】
図９は、平均値検出回路を説明するための説明図である。図９に示すように、平均値検出回路１４９は、バースト信号のデータ領域の出力振幅を連続的に検出して平均値を算出し、算出した平均値検出レベルを符号識別閾値として生成する。
【００７９】
［実施例３にかかるバースト信号受信器による処理の手順］
次に、実施例３にかかるバースト信号受信器による処理の手順を説明する。図１０は、実施例３にかかるバースト信号受信器による処理の手順を説明するための図である。なお、図６に示すステップＳ３０１〜３０３及びステップＳ３０５〜３０７は、図６に示すステップＳ２０１〜２０３、ステップＳ２０５〜２０７と同一の処理であることから詳細な説明を省略する。
【００８０】
図１０に示すように、バースト信号受信器１４０では、受信したバースト信号を電圧に変換して、プリバイアス領域及びデータ領域の振幅を検出すると（ステップＳ３０１〜３０３）、データ領域の平均値を符号識別閾値として生成する（ステップＳ３０４）。
【００８１】
具体的には、平均値検出回路１４９は、前置増幅器１４２によって変換された電圧の出力振幅を連続的に検出して、検出した出力振幅の平均値を符号識別閾値として生成する。そして、バースト信号受信器１４０は、プリバイアス領域のレベルに基づいて、バースト信号を判定し、データ信号であると判定した場合にのみ、バースト信号を出力する（ステップＳ３０５〜３０７）。
【００８２】
［実施例３の効果］
上述したように、実施例３によれば、平均値検出回路１４９は、閾値として、検出した第２領域の信号振幅の上端値と下端値との平均値を生成する。従って、信号振幅の上端値及び下端値を考慮した閾値を生成することができ、精度が高い符号識別を行うことができる。
【実施例４】
【００８３】
上述した実施例２又は３では、データ領域の信号振幅の二分の一又は平均値を符号識別閾値として生成する場合について説明した。実施例４では、プリバイアス領域のレベルとデータ領域のレベルとの比率に基づいて符号識別閾値を生成する場合について説明する。
【００８４】
［実施例４にかかるバースト信号受信器の構成］
まず、図１１を用いて、実施例４にかかるバースト信号受信器の構成について説明する。図１１は、実施例４にかかるバースト信号受信器の構成を説明するための説明図である。図１１に示すように、実施例４にかかるバースト信号受信器は、図２に示す実施例２のバースト信号受信器と比較して振幅検出回路が一つである点と、閾値生成回路の処理内容が異なる。以下、これを中心に説明する。
【００８５】
振幅検出回路１５０は、実施例２及び３の第１振幅検出回路１４７と同一の処理を行う。すなわち、振幅検出回路１５０は、受光素子１４１によって受光されたバースト信号の第１領域の信号振幅を検出する。具体的には、第１振幅検出回路１４７は、受光素子１４１によって受光されたバースト信号のプリバイアス領域の信号レベルを検出する。
【００８６】
閾値生成回路１５１は、カレントミラー回路部１３３によって制御された非データ領域の出力とデータ領域の出力との比率に基づいて、振幅検出回路１５０によって検出された非データ領域の信号振幅からデータ領域の信号振幅を算出する。そして、閾値生成回路１５１は、算出したデータ信号の信号振幅から符号識別閾値を生成する。
【００８７】
図１２は、実施例４にかかる閾値生成回路を説明するための説明図である。例えば、図１２に示すように、カレントミラー回路部１３３によって「データ領域のレベル：プリバイアス領域のレベル、１：Ｋ」に設定された場合には、閾値検出回路１５０は、「Ｐ１／２Ｋ」を符号識別閾値として生成する。
【００８８】
［実施例４にかかるバースト信号受信器による処理の手順］
次に、実施例４にかかるバースト信号受信器による処理の手順を説明する。図１３は、実施例４にかかるバースト信号受信器による処理の手順を説明するための図である。なお、図１３に示すステップＳ４０１〜４０２及びステップＳ４０５〜４０７は、図６に示すステップＳ２０１〜２０２、ステップＳ２０５〜２０７と同一の処理であることから詳細な説明を省略する。
【００８９】
図１３に示すように、バースト信号受信器１４０では、受信したバースト信号を電圧に変換すると（ステップＳ４０１〜４０２）、振幅検出回路１５０は、プリバイアス領域のレベルを検出する（ステップＳ４０３）。そして、閾値生成回路１５１は、振幅検出回路１５０によって検出されたプリバイアス領域の振幅に基づいて、データ領域の振幅を算出し、算出したデータ領域の振幅から符号識別閾値を生成する（ステップＳ４０４）。
【００９０】
具体的には、振幅検出回路１５０は、カレントミラー回路部１３３によって設定されたデータ領域の信号レベルとプリバイアス領域の信号レベルとの比率に基づいて符号識別閾値を生成する。そして、バースト信号受信器１４０は、データ領域を符号化し、プリバイアス領域のレベルに基づいて、バースト信号を判定した後、データ信号であると判定した場合にのみ、バースト信号を出力する。
【００９１】
［実施例４の効果］
上述したように、実施例４によれば、閾値生成回路１５１は、カレントミラー回路部１３３によって制御されたプリバイアス領域の出力とデータ領域の出力との比率に基づいて、振幅検出回路１５０によって検出された第１領域の信号振幅から閾値を生成する。従って、プリバイアス領域の信号振幅の検出のみで、受信判定と閾値生成とを行うことができる。
【実施例５】
【００９２】
上述した実施例２では、カレントミラー回路を用いて、プリバイアス領域の制御を行う場合について説明したが、実施例５では、パルス電流の情報からプリバイアス領域の制御を行う場合について説明する。
【００９３】
［実施例５にかかるバースト信号送信器の構成］
まず、図１４を用いて、実施例５にかかるバースト信号送信器の構成について説明する。図１４は、実施例５にかかるバースト信号送信器の構成を説明するための説明図である。図１４に示すように、実施例５にかかるバースト信号送信器は、図２に示す実施例２のバースト信号送信器と比較して、カレントミラー回路部１３３の代わりにプリバイアス比率制御部１３９を有する点が異なる。以下、これを中心に説明する。
【００９４】
プリバイアス比率制御部１３９は、バースト信号のデータ領域の出力制御情報に基づいて、非データ領域の出力の比率を制御する。具体的には、プリバイアス比率制御部１３９は、パルス電流制御部１３２によって制御されたパルス電流量に対する所定の比率の電流がプリバイアス電流駆動部１３４から出力されるように制御する。例えば、プリバイアス比率制御部１３９は、パルス電流制御部１３２によって制御された電流量のＫ倍の電流がプリバイアス電流駆動部から出力されるように制御する。
【００９５】
［実施例５にかかるバースト信号送信器による処理の手順］
次に、実施例５にかかるバースト信号送信器による処理の手順を説明する。図１５は、実施例５にかかるバースト信号送信器による処理の手順を説明するための図である。図１５に示すように、実施例５にかかるバースト信号送信器１３０では、データ信号が入力されると（ステップＳ５０１肯定）、パルス電流駆動部１３１は、データ領域を電流に変換する（ステップＳ５０２）。
【００９６】
そして、プリバイアス比率制御部１３９は、パルス電流制御部１３２によって制御されたデータ領域のパルス電流量を取得し（ステップＳ５０３）、プリバイアス領域の電流量を設定する（ステップＳ５０４）。その後、プリバイアス電流駆動部１３４は、プリバイアス比率制御部１３９によって設定された電流量でバースト信号のプリバイアス領域を所定の比率で電流に変換する（ステップＳ５０５）。そして、レーザーダイオード素子１３７は、パルス電流駆動部１３１及びプリバイアス電流駆動部１３４から入力された電流に基づいて、バースト信号を送信して（ステップＳ５０６）、処理を終了する。
【００９７】
［実施例５の効果］
上述したように、実施例５によれば、プリバイアス比率制御部１３９は、バースト信号のデータ領域の出力制御情報に基づいて、プリバイアス領域の出力の比率を制御する。従って、データ領域の出力を監視するのみでプリバイアス領域の出力を決定することができ、より容易に実現することができる。
【００９８】
以上の本実施例を含む実施形態に関し、更に以下の付記を開示する。
【００９９】
（付記１）データ領域以外の領域である非データ領域の信号振幅を前記データ領域の信号振幅よりも高くした光データ信号を所定の受信器に出力する光送出ステップと、
前記所定の受信器において前記光送出ステップによって出力された前記光データ信号を含めた光入力を受け付ける光入力受信ステップと、
前記光入力受信ステップによって受け付けられた光入力の前記非データ領域の信号振幅及び前記データ領域の信号振幅をそれぞれ検出する振幅検出ステップと、
前記振幅検出ステップによって検出された前記データ領域の信号振幅に基づいて、当該データ領域を符号化するための閾値を生成する閾値生成ステップと、
前記振幅検出ステップによって検出された前記非データ領域の信号振幅に基づいて、前記光データ信号を受信したか否かを判定する受信判定ステップと、
前記受信判定ステップによって前記光データ信号を受信したと判定された場合に、前記閾値生成ステップによって生成された当該光データ信号の閾値を用いて前記データ領域が符号化されたデータ信号を出力するデータ出力ステップと、
を含んだことを特徴とする光通信方法。
【０１００】
（付記２）前記閾値生成ステップは、前記振幅検出ステップによって検出されたデータ領域の信号振幅の上端値の二分の一の値を前記閾値とすることを特徴とする付記１に記載の光通信方法。
【０１０１】
（付記３）前記閾値生成ステップは、前記振幅検出ステップによって検出されたデータ領域の信号振幅の平均値を前記閾値とすることを特徴とする付記１に記載の光通信方法。
【０１０２】
（付記４）前記光送出ステップは、前記非データ領域の信号振幅と前記データ領域の信号振幅とが所定の比率である前記光データ信号を生成し、生成した光データ信号を出力し、
前記閾値生成ステップは、前記光送出ステップによって出力された前記光データ信号の前記非データ領域の信号振幅と前記データ領域の信号振幅との比率に基づいて、前記振幅検出ステップによって検出された前記非データ領域の信号振幅から前記データ領域の信号振幅を算出し、算出したデータ領域の信号振幅から前記閾値を生成することを特徴とする付記１に記載の光通信方法。
【０１０３】
（付記５）前記光送出ステップは、前記データ信号の前記非データ領域の信号振幅と当該データ信号の前記データ領域の信号振幅との比率をカレントミラー回路によって制御することを特徴とする付記１に記載の光通信方法。
【０１０４】
（付記６）前記光送出ステップは、前記データ信号の前記データ領域の出力制御情報に基づいて、前記非データ領域の出力の比率を制御することを特徴とする付記１に記載の光通信方法。
【０１０５】
（付記７）光データ信号のデータ領域以外の領域である非データ領域の信号振幅を前記データ領域の信号振幅よりも高くする出力制御部と、
前記出力制御部によって前記非データ領域の信号振幅および前記データ領域の信号振幅が制御された前記光データ信号を所定の受信器に出力する光送出部と、
を有する光信号送信装置と、
前記所定の受信器において前記光送出部によって出力された前記光データ信号を含めた光入力を受け付ける光入力受信部と、
前記光入力受信部によって受け付けられた光入力の前記非データ領域の信号振幅を検出する第１振幅検出部と、
前記光入力受信部によって受け付けられた光入力の前記データ領域の信号振幅を検出する第２振幅検出部と、
前記第２振幅検出部によって検出された前記データ領域の信号振幅に基づいて、当該データ領域を符号化するための閾値を生成する閾値生成部と、
前記第１振幅検出部によって検出された前記非データ領域の信号振幅に基づいて、前記光データ信号を受信したか否かを判定する受信判定部と、
前記受信判定部によって前記光データ信号を受信したと判定された場合に、前記閾値生成部によって生成された当該光データ信号の閾値を用いて前記データ領域が符号化されたデータ信号を出力するデータ出力部と、
を有する光信号受信装置と
を備えたことを特徴とする光通信システム。
【０１０６】
（付記８）データ領域以外の領域である非データ領域の信号振幅を前記データ領域の信号振幅よりも高くした光データ信号を含めた光入力を受け付ける光入力受信部と、
前記光入力受信部によって受け付けられた光入力の前記非データ領域の信号振幅を検出する第１振幅検出部と、
前記光入力受信部によって受け付けられた光入力の前記データ領域の信号振幅を検出する第２振幅検出部と、
前記第２振幅検出部によって検出された前記データ領域の信号振幅に基づいて、当該データ領域を符号化するための閾値を生成する閾値生成部と、
前記第１振幅検出部によって検出された前記非データ領域の信号振幅に基づいて、前記光データ信号を受信したか否かを判定する受信判定部と、
前記受信判定部によって前記光データ信号を受信したと判定された場合に、前記閾値生成部によって生成された当該光データ信号の閾値を用いて前記データ領域が符号化されたデータ信号を出力するデータ出力部と、
を有することを特徴とする光信号受信装置。
【０１０７】
（付記９）光データ信号のデータ領域以外の領域である非データ領域の信号振幅を前記データ領域の信号振幅よりも高くする出力制御部と、
前記出力制御部によって前記非データ領域の信号振幅および前記データ領域の信号振幅が制御された前記光データ信号を所定の受信器に出力する光送出部と、
を有することを特徴とする光信号送信装置。
【符号の説明】
【０１０８】
１００  光信号送信装置
１０１  出力制御部
１０２  光送出部
１１０  スターカプラ
１２０  光信号受信装置
１２１  光入力受信部
１２２  振幅検出部
１２３  受信判定部
１２４  閾値生成部
１２５  データ出力部
１３０  バースト信号送信器
１３１  パルス電流駆動部
１３２  パルス電流制御部
１３３  カレントミラー回路部
１３４  プリバイアス電流駆動部
１３５  バイアス電流駆動部
１３６  ＡＰＣ部
１３７  レーザーダイオード素子
１３８  受光素子
１３９  プリバイアス比率制御部
１４０  バースト信号受信器
１４１  受光素子  
１４２  前置増幅器
１４３  増幅器
１４４  出力バッファ
１４５  第２振幅検出回路
１４６  閾値生成回路
１４７  第１振幅検出回路
１４８  比較器
【図１】
2011142581.tif 000005
【図２】
2011142581.tif 000006
【図３】
2011142581.tif 000007
【図４】
2011142581.tif 000008
【図５】
2011142581.tif 000009
【図６】
2011142581.tif 000010
【図７】
2011142581.tif 000011
【図８】
2011142581.tif 000012
【図９】
2011142581.tif 000013
【図１０】
2011142581.tif 000014
【図１１】
2011142581.tif 000015
【図１２】
2011142581.tif 000016
【図１３】
2011142581.tif 000017
【図１４】
2011142581.tif 000018
【図１５】
2011142581.tif 000019
【図１６】
2011142581.tif 000020
【図１７】
2011142581.tif 000021
【図１８】
2011142581.tif 000022
【図１９】
2011142581.tif 000023
【図２０】
2011142581.tif 000024
【図２１】
2011142581.tif 000025
【図２２】
2011142581.tif 000026
【図２３】
2011142581.tif 000027